(57)【特許請求の範囲】
【請求項１】
介護に用いる貯溜タンクであって、タンク本体にユニット固定用被覆タンクと内部に粉砕装置ユニットとを取付け、この頂部にドーナツ型合成ゴム挿入口を付け、しかも、粉砕装置ユニットに取付けたユニットドラム内に臭気露出防止開閉弁を備え、タンクの外部に臭気を露出させない構造を特徴とした排泄物処理装置付貯溜タンク。
【発明の詳細な説明】
【技術分野】
【０００１】
本発明は一般に、排泄物処理装置付貯溜タンクに関する。より詳細には、オシメ機構と連動して用いることを目的とした排泄物処理装置付貯溜タンクに関する。
【背景技術】
【０００２】
従来、オシメ機構の糞尿処理には下水道に流す配管設備が必要であった。しかし要介護者が短期間等で配管設備を不要とする場合、又は、下水道処理設備が未整備の地域では困難なことから、これらに代わる排泄物の処理方法が求められていた。
【０００３】
【特許文献１】特開２００５−１０３１３１
【発明の開示】
【発明が解決しようとする課題】
【０００４】
寝たきり状態の要介護者に対して、被介護者が厄介とする課題に看病の苦労や経済的負担に加え排泄物の処理があり、この中で排泄物は臭気が伴い最も面倒で憂慮される介護とされている。そこで下水道整備で配管設備によって、排泄物を処理するのが理想であるが、短期間の利用や配管設備が困難な場所又は下水道が未整備等の場合には排泄物に自動処理ができないといった事情もあった。
【０００５】
本発明は、このような状況を鑑みて案出されたものであって、短期間の利用や配管設備が困難な場所等での排泄物を容易に処理することができる排泄物処理装置付貯溜タンクを提供することを目的としている。
【課題を解決するための手段】
【０００６】
本願請求項１に記載の、介護に用いる貯溜タンクであって、タンク本体にユニット固定用被覆タンクと内部に粉砕装置ユニットとを取付け、この頂部にドーナツ型合成ゴム挿入口を付け、しかも、粉砕装置ユニットに取付けたユニットドラム内に臭気露出防止開閉弁を備え、タンクの外部に臭気を露出させない構造を特徴とするものである。
【発明の効果】
【０００７】
本発明の排泄物処理装置付貯溜タンクは、特許文献１特開２００５−１０３１３１のオシメ機構によれば、排便の際、腹筋圧センサーの作動に呼応して泡水が噴射されるように構成され、排便の兆候で泡水が流れることから、内蔵の泡水センサーで感知されると、タイム自動制御装置が自動的に作動し、数分後に電動モーターが作動、所定の数秒間高速回転され、又、数分間停止又は低速回転してから再び電動モーターが数秒間高速回転する。排便中はその繰返しにより、排便終わりで温水洗浄の流下により温水センサーが作動し、回転が停止する仕組みとした貯溜タンクであって、糞尿水で満タンになった場合、手動で便槽又は水洗トイレ等に運び処理することで、効率よい対応ができる排泄物処理装置付貯溜タンクであって、常時そばに予備も置くことで余裕持った安心の介護をする事が出来る効果がある。
【発明を実施するための最良の形態】
【０００８】
次に図面を参照して、本発明の好ましい実施の形態に係る排泄物処理装置付貯溜タンクについて詳細に説明する。図１は、本発明の好ましい実施の形態に係る排泄物処理装置付貯溜タンクを示した標準立体図である。タンク本体１は、ユニット固定用被覆タンク３を備え、排泄物処理装置ユニット４とバルブ付流出パイプ５と浮玉入水量計６と、車輪８と据付台９は合成樹脂（ポリエチレン又はポリプロピレンなど）又は鋼板等で形成されている。
【０００９】
図２は、排泄物処理装置付貯溜タンクを示した標準側面図である。ユニット固定用被覆タンク３は被覆タンクネジ差込部２にネジ込み固定させ又は取外しができ、空タンク等不使用時はキャップをつける。更にタンク本体１は各種カラーにし、色別で病症名等が判別できる  ようにする。又、持ち運びを容易にするため取っ手７と車輪８によりタンク本体の設置や交換及び満タン時の運搬を簡単にできるように形成されている。
【００１０】
図３は、排泄物処理装置付貯溜タンクのユニット拡大図を示したもので、被覆タンクネジ差込部２に取付けたユニット固定用被覆タンク３には、ドラム固定差込部３-aとドーナツ型合成ゴム挿入口３-bと流下パイプ挿入口３-cを設け、排泄物処理装置ユニット４を取付ける。
排泄物処理装置ユニット４には、ユニットドラム４-aに縦型漏糞尿溝４-cと横型漏糞尿溝４-bを空け、内部に臭気露出防止開閉弁４-eと、回転羽根４-g及び公知の泡水センサー４-kと、公知の温水センサー４-jを内蔵させ、ユニットドラム４-aと連結の金属又は合成繊維等の箱型周囲を合成ゴム等の防水被覆４-nで密閉し固定する。防水内部に電動モーター４-hとＶベルト又は歯車４-iと、センサー内蔵タイム自動制御装置４-Lを設け配線を施し、電源差込/ソケット４-mをユニット外部に出し、４-aから４-Lまでを一体とした排泄物処理装置ユニット４を形成する。又、センサー内蔵タイム自動制御装置４-Lが排泄物処理装置ユニット４内部に設けない場合は、ユニット外部に設置することもできる。
【００１１】
上記センサー（即ち、泡水により作動する泡水センサー４-kと、温水によって作動する温水センサー４-j）は、公知のセンサーが用いられる。また、これらのセンサーは、センサー内蔵タイム自動制御装置４-Lを経由し、電動モーター４-hが作動する。（例えば、泡水の流入で泡水センサーが感知し、作動開始し３分経過後１５秒高速回転し、３分間停止又は低速回転と、15秒高速回転し、これらを繰返し、温水シャワーの流下で温水センサーが感知し電動モーターが停止する）、これらタイム自動制御装置の作動設定は自在にでき、公知のタイム自動制御装置が用いられる。回転羽根４-gは山型等にし、Ｖベルト又は歯車４-iにより公知の方法で回転させ、粉便させタンク内糞尿水の廃棄処分を容易にする。
【００１２】
ドーナツ型合成ゴム挿入口３-bの中央部には円形の下流パイプ挿入口３-cを設け、オシメ機構と連動させ用いるため、オシメ機構排水ホース保護管接続部１２はホース等を用いて接続させ、糞尿流下パイプ１０には過挿入ストッパー凸部１１を設け、流下パイプ挿入口３-c部分はやや狭くし、過挿入ストッパー凸部１１まで挿入させ取付ける。泡水、糞尿、温水は共にタンク本体１に流入させるが、空気抜きは縦横型漏糞尿溝と糞尿流下パイプ１０を経由し、オシメ機構内部で消化される。
【００１３】
図４は、粉砕装置付糞尿貯溜タンクのユニットドラムを示した標準拡大図である。        
ユニットドラム４-aに流入した泡水、糞尿、温水、の内、排便の際には魂便も予想されることから、満タンになったタンク本体１を下水処理等で廃棄処分の場合、タンク内を空にする必要から魂便を粉砕にしておくため、横型漏糞尿溝４-bと、縦型漏糞尿溝４-cとをユニットドラム４-aに設け、漏糞尿溝を便通するように粉便する構造とした。
【００１４】
ユニットドラム４-aに設けた臭気露出防止開閉弁４-eと、ユニット固定用被覆タンク３の頂部には、ドーナツ型合成ゴム挿入口３-bによって、タンク本体１の外部及びオシメ機構の内部に臭気が露出しない工夫を施されている。
【産業上の利用可能性】
【００１５】
本発明は、寝たきりの要介護者又は交通事故や手術等で一時的に歩行困難となった患者に用いるもので、オシメ機構と連動させ、下水道設備が不備又は配管が困難か、或は短期間で配管不要の場所に、その代替として提供するもので利用の可能性は明白である。
【図面の簡単な説明】
【００１６】
【図１】本発明の好ましい実施の形態の排泄物処理装置付貯溜タンクを示した立体図である。
【図２】排泄物処理装置付貯溜タンクを示した側面図である。
【図３】排泄物処理装置付貯溜タンクのユニットを示した拡大図である。
【図４】排泄物処理装置付貯溜タンクのユニットドラムを示した拡大図である。
【符号の説明】
【００１７】
１    タンク本体
２    被覆タンクネジ巻込部
３    ユニット固定用被覆タンク
３-a   ドラム固定差込部
３-b   ドーナツ型合成ゴム挿入口
３-c   流下パイプ挿入口
４    排泄物処理装置ユニット
４-a   ユニットドラム
４-b   横型漏糞尿溝
４-c   縦型漏糞尿溝
４-d   ユニットドラム固定部取付具
４-e   臭気露出防止開閉弁
４-f   開閉弁上下調整バネ
４-g   回転羽根
４-h   電動モーター
４-i   Ｖベルト又は歯車
４-j   温水センサー
４-k   泡水センサー
４-L   センサー内蔵タイム自動制御装置
４-m   電源差込/ソケット
５    バルブ付流出パイプ
６    浮玉入水量計
７    持運び用取っ手
８    車輪
９    据付台
１０  糞尿流下パイプ
１１  過挿入ストッパー凸部
１２  オシメ機構排水ホース保護管接続部
【図１】
0004301457.tif 000002
【図２】
0004301457.tif 000003
【図３】
0004301457.tif 000004
【図４】
0004301457.tif 000005